(57)【要約】【課題】装置が小型になり、また、部品点数が少なく、コストを低減することができ、さらに、下部タンク内の遊技媒体を適量な状態に維持することができる遊技機島の遊技媒体搬送装置を提供する。【解決手段】分岐部材５０が上流側ステージ５５とその上流側ステージ５５の下流側に配された下流側ステージ５６とを備え、上部タンク２０から所定の幅をもって略下方へ流れる遊技媒体の流れの中にあって、遊技媒体の流れの一部を上流側ステージ５５が受けて遊技機用樋３０へ導き、遊技媒体の流れの残りを下流側ステージ５６が受けてタンク用樋４０へ導くようにした。【選択図】図１
2004305317.tif 000002
【特許請求の範囲】
【請求項１】
複数台の遊技機を列設して形成される遊技機島の上部に上部タンクが配され、遊技機島の下部に下部タンクが配されている遊技機島の遊技媒体搬送装置において、
前記上部タンク内の遊技媒体を各遊技機に補給するための遊技機用樋と、前記上部タンク内の遊技媒体を前記下部タンクに戻すためのタンク用樋と、前記上部タンクから排出された遊技媒体を分けるための分岐部材とを備え、
前記遊技機用樋は、各遊技機の上方にあって、前記上部タンク側から前記遊技機島の端の上部に延設され、前記上部タンクから排出された遊技媒体が各遊技機にそれぞれ流れるように配され、
前記タンク用樋は、前記上部タンクから排出された遊技媒体が前記遊技機島の端の上部へ流れるようにすることで、遊技媒体を前記遊技機島の端の上部から前記下部タンクに流すことができるように配され、
前記分岐部材は、前記上部タンクから排出された遊技媒体の流れを分岐することで、遊技媒体が前記遊技機用樋および前記タンク用樋へそれぞれ流れるように配されている
ことを特徴とする遊技機島の遊技媒体搬送装置。
【請求項２】
複数台の遊技機を列設して形成される遊技機島の上部に上部タンクが配され、遊技機島の下部に下部タンクが配され、該下部タンク内の遊技媒体を上部タンクに揚送するようにした遊技機島の遊技媒体搬送装置において、
前記上部タンク内の遊技媒体を各遊技機に補給し、該各遊技機で用いられた遊技媒体を前記上部タンクに戻すための第１循環機構と、前記上部タンク内の遊技媒体を各遊技機に補給することなく前記下部タンクに戻すための第２循環機構と、前記上部タンク内の遊技媒体を分けることで前記第１循環機構および前記第２循環機構にそれぞれ流すための分岐部材とを備え、
前記第１循環機構は、各遊技機の上方にあって、前記上部タンク側から前記遊技機島の端の上部に延設され、前記上部タンクから排出された遊技媒体が各遊技機にそれぞれ流れるように配された遊技機用樋を備え、
前記第２循環機構は、前記上部タンクから排出された遊技媒体が前記遊技機島の端の上部に流れるようにすることで、遊技媒体を前記遊技機島の端の上部から前記下部タンクに流すことができるように配されたタンク用樋を備え、
前記分岐部材は、前記上部タンクから排出された遊技媒体の流れを分岐することで、遊技媒体が前記遊技機用樋および前記タンク用樋へそれぞれ流れるように配されている
ことを特徴とする遊技機島の遊技媒体搬送装置。
【請求項３】
前記分岐部材は、前記上部タンクから排出された遊技媒体の流れの一部を前記遊技機用樋または前記タンク用樋の一方へ導くように形成された上流側ステージと、該上流側ステージの下流側にあって、遊技媒体の流れの残りを前記遊技機用樋または前記タンク用樋の他方へ導くように形成された下流側ステージとを備えた
ことを特徴とする請求項１または２に記載の遊技機島の遊技媒体搬送装置。
【請求項４】
前記分岐部材は、前記上部タンクから所定の幅をもって略下方へ流れる遊技媒体の流れの中にあって、該遊技媒体の流れの一部を受けて前記遊技機用樋または前記タンク用樋の一方へ導くように形成された上流側ステージと、該上流側ステージの下流側にあって、遊技媒体の流れの残りを受けて前記遊技機用樋または前記タンク用樋の他方へ導くように形成された下流側ステージとを備えた
ことを特徴とする請求項１または２に記載の遊技機島の遊技媒体搬送装置。
【請求項５】
前記遊技機用樋と前記タンク用樋とは、上段と下段との位置関係になるようにそれぞれ配されていて、前記上部タンク側から前記遊技機島の端の上部にそれぞれ延設されている
ことを特徴とする請求項１〜４の何れかに記載の遊技機島の遊技媒体搬送装置。
【請求項６】
前記遊技機用樋と前記タンク用樋とは、上段と下段との位置関係になるようにそれぞれ配されていて、前記上部タンク側から前記遊技機島の端の上部にそれぞれ延設され、
前記分岐部材は、筒形状に形成され、前記上部タンクから排出された遊技媒体が所定の幅をもって略下方へ流れるように配された筒状本体と、該筒状本体の周壁から該筒状本体内へ突出することで、遊技媒体の流れの一部を受けて前記遊技機用樋へ導くように形成された上流側ステージと、筒状本体の底部を成し、遊技媒体の流れの残りを受けて前記タンク用樋へ導くように形成された下流側ステージとを備え、
さらに、前記分岐部材は、樹脂材により前記筒状本体と前記上流側ステージと前記下流側ステージとを一体的に形成したものである
ことを特徴とする請求項１〜４の何れかに記載の遊技機島の遊技媒体搬送装置。
【請求項７】
前記上流側ステージは、前記筒状本体の互いに対向する周壁の間に架設され、
前記上流側ステージの両脇には、前記上部タンクから排出された遊技媒体が前記下流側ステージへ流れるように連通口が開設されている
ことを特徴とする請求項３〜６の何れかに記載の遊技機島の遊技媒体搬送装置。
【請求項８】
前記連通口は、該連通口を通過する遊技媒体の量が前記上流側ステージで受ける遊技媒体の量とほぼ同じになるように形成されている
ことを特徴とする請求項７に記載の遊技機島の遊技媒体搬送装置。
【請求項９】
前記筒状本体の上部には、前記上部タンクから排出された遊技媒体が複数列で整列して前記筒状本体の内部に流れ込むことができる流入口が開設されている
ことを特徴とする請求項４〜８の何れかに記載の遊技機島の遊技媒体搬送装置。
【請求項１０】
複数台の遊技機を列設して形成された遊技機島の遊技媒体搬送装置の分岐部材において、
遊技媒体が所定の幅をもって略下方へ流れるように配された筒状本体と、該筒状本体の周壁の上部から下部までの複数個所に開設された複数の開口と、同じく前記筒状本体の周壁の上部から下部までの複数個所から前記筒状本体の内部へそれぞれ突出することで、遊技媒体の流れの一部をそれぞれ受けて前記複数の開口の各々へ導くように形成された複数のステージとを備えた
ことを特徴とする遊技機島の遊技媒体搬送装置の分岐部材。
【請求項１１】
複数台の遊技機を列設して形成された遊技機島の遊技媒体搬送装置の分岐部材において、
遊技媒体が所定の幅をもって略下方へ流れるように配された筒状本体と、該筒状本体の周壁の上部に開設された上部開口と、前記筒状本体の周壁の下部に開設された下部開口と、前記筒状本体の周壁から該筒状本体の内部へ突出することで、遊技媒体の流れの一部を受けて前記上部開口の方へ導くように形成された上流側ステージと、筒状本体の底部を成し、遊技媒体の流れの残りを受けて前記下部開口の方へ導くように形成された下流側ステージとを備えた
ことを特徴とする遊技機島の遊技媒体搬送装置の分岐部材。
【発明の詳細な説明】
【０００１】
【発明の属する技術分野】
本発明は、複数台の遊技機を列設して形成される遊技機島の上部に上部タンクが配され、遊技機島の下部に下部タンクが配されている遊技機島の遊技媒体搬送装置に関する。
【０００２】
【従来の技術】
従来の遊技機島の遊技媒体搬送装置としては、例えば、遊技機島の上部に上部タンクが配され、上部タンクから遊技機島の端の上部に向かって１つの共用の樋が延設され、上部タンク内の遊技媒体を共用の樋に流すことで各遊技機に供給するとともに、遊技機島の端の上部に搬送してから遊技機島下部の下部タンクに戻すようにしたものがある。
【０００３】
また、上部タンクから遊技機島の端の上部に向かって２つの供給用樋が延設され、２つの供給用樋の一方が各遊技機に対して遊技媒体を供給するための遊技機専用の樋になっていて、他方の供給用樋が、上部タンク内の余剰になった遊技媒体を下部タンクに戻すためのオーバーフロー樋になっているものがある（特許文献１参照）。
【０００４】
【特許文献１】
特開２００２−１０２５１５号公報
【０００５】
【発明が解決しようとする課題】
しかしながら、このような従来の遊技機島の遊技媒体搬送装置では、前者の技術においては、共用の樋内に遊技媒体が少ないとき、遊技媒体は共用の樋の真ん中を流れ、各遊技機へ補給するための補給口を通過してしまって、各遊技機に供給されないで共用の樋の終端に達し、共用の樋の終端から下部タンクに戻ってしまうので、共用の樋の終端にはシャッターが設けられており、営業中は、シャッターを閉めて、共用の樋内に遊技媒体を溜めるようにして、営業終了時に、シャッターを開けて、共用の樋内の遊技媒体を下部タンクに戻すようにしている。しかしながら、このような遊技機島の遊技媒体搬送装置では、営業中は、遊技媒体が共用の樋を通って下部タンクに戻らないので、下部タンク内の遊技媒体が不足した状態が続いてしまうという問題点があった。
【０００６】
後者の技術においては、２つの供給用樋の一方を、上部タンク内で余剰になった遊技媒体を下部タンクに戻すためのオーバーフロー樋にすることにより、下部タンク内の遊技媒体の不足を解消したものであるが、上部タンクから排出された遊技媒体を遊技機専用の樋に導くための遊技機専用の通路と、同じく、上部タンク内の余剰の遊技媒体をオーバーフロー樋に導くためのオーバーフロー専用の通路との２つの通路を別個に設ける必要があるため、装置が大型になる要因になり、また、両方の通路を構成する部品の点数が多くなって、コストが嵩む要因になるという問題点があった。
【０００７】
本発明は、このような従来の問題点に着目してなされたもので、分岐部材によって上部タンクから排出された遊技媒体の流れを分岐することで、遊技媒体を遊技機用樋およびタンク用樋へそれぞれ流すようにして、２つの通路を別個に設ける必要がなく、装置が小型になり、また、部品点数が少なく、コストを低減することができ、さらに、上部タンク内の遊技媒体を下部タンクに確実に戻すようにし、下部タンク内の遊技媒体を適量な状態に維持することができる遊技機島の遊技媒体搬送装置を提供することを目的としている。
【０００８】
また、分岐部材を簡単な形状にして、製造コストを低減することができる遊技機島の遊技媒体搬送装置を提供することを目的としている。さらに、遊技機用樋をタンク用樋より上方に配することで、遊技機用樋と各遊技機との間の間隔を確保し、遊技機用樋から下方あるいは斜め下方に延ばしたホース部材を急激に曲げないで遊技機に接続させることができるようにし、ホース部材に通した遊技媒体を詰まらせないで確実に遊技機に補給することができるとともに、ホース部材の取り回しを容易にすることができる遊技機島の遊技媒体搬送装置を提供することを目的としている。
【０００９】
【課題を解決するための手段】
かかる目的を達成するための本発明の要旨とするところは、次の各項の発明に存する。
［１］複数台の遊技機（１１）を列設して形成される遊技機島（１０）の上部に上部タンク（２０）が配され、遊技機島（１０）の下部に下部タンク（７０）が配されている遊技機島（１０）の遊技媒体搬送装置において、
前記上部タンク（２０）内の遊技媒体を各遊技機（１１）に補給するための遊技機用樋（３０）と、前記上部タンク（２０）内の遊技媒体を前記下部タンク（７０）に戻すためのタンク用樋（４０）と、前記上部タンク（２０）から排出された遊技媒体を分けるための分岐部材（５０）とを備え、
前記遊技機用樋（３０）は、各遊技機（１１）の上方にあって、前記上部タンク（２０）側から前記遊技機島（１０）の端の上部に延設され、前記上部タンク（２０）から排出された遊技媒体が各遊技機（１１）にそれぞれ流れるように配され、
前記タンク用樋（４０）は、前記上部タンク（２０）から排出された遊技媒体が前記遊技機島（１０）の端の上部へ流れるようにすることで、遊技媒体を前記遊技機島（１０）の端の上部から前記下部タンク（７０）に流すことができるように配され、
前記分岐部材（５０）は、前記上部タンク（２０）から排出された遊技媒体の流れを分岐することで、遊技媒体が前記遊技機用樋（３０）および前記タンク用樋（４０）へそれぞれ流れるように配されている
ことを特徴とする遊技機島（１０）の遊技媒体搬送装置。
【００１０】
［２］複数台の遊技機（１１）を列設して形成される遊技機島（１０）の上部に上部タンク（２０）が配され、遊技機島（１０）の下部に下部タンク（７０）が配され、該下部タンク（７０）内の遊技媒体を上部タンク（２０）に揚送するようにした遊技機島（１０）の遊技媒体搬送装置において、
前記上部タンク（２０）内の遊技媒体を各遊技機（１１）に補給し、該各遊技機（１１）で用いられた遊技媒体を前記上部タンク（２０）に戻すための第１循環機構と、前記上部タンク（２０）内の遊技媒体を各遊技機（１１）に補給することなく前記下部タンク（７０）に戻すための第２循環機構と、前記上部タンク（２０）内の遊技媒体を分けることで前記第１循環機構および前記第２循環機構にそれぞれ流すための分岐部材（５０）とを備え、
前記第１循環機構は、各遊技機（１１）の上方にあって、前記上部タンク（２０）側から前記遊技機島（１０）の端の上部に延設され、前記上部タンク（２０）から排出された遊技媒体が各遊技機（１１）にそれぞれ流れるように配された遊技機用樋（３０）を備え、
前記第２循環機構は、前記上部タンク（２０）から排出された遊技媒体が前記遊技機島（１０）の端の上部に流れるようにすることで、遊技媒体を前記遊技機島（１０）の端の上部から前記下部タンク（７０）に流すことができるように配されたタンク用樋（４０）を備え、
前記分岐部材（５０）は、前記上部タンク（２０）から排出された遊技媒体の流れを分岐することで、遊技媒体が前記遊技機用樋（３０）および前記タンク用樋（４０）へそれぞれ流れるように配されている
ことを特徴とする遊技機島（１０）の遊技媒体搬送装置。
【００１１】
［３］前記分岐部材（５０）は、前記上部タンク（２０）から排出された遊技媒体の流れの一部を前記遊技機用樋（３０）または前記タンク用樋（４０）の一方へ導くように形成された上流側ステージ（５５）と、該上流側ステージ（５５）の下流側にあって、遊技媒体の流れの残りを前記遊技機用樋（３０）または前記タンク用樋（４０）の他方へ導くように形成された下流側ステージ（５６）とを備えた
ことを特徴とする［１］または［２］に記載の遊技機島（１０）の遊技媒体搬送装置。
【００１２】
［４］前記分岐部材（５０）は、前記上部タンク（２０）から所定の幅をもって略下方へ流れる遊技媒体の流れの中にあって、該遊技媒体の流れの一部を受けて前記遊技機用樋（３０）または前記タンク用樋（４０）の一方へ導くように形成された上流側ステージ（５５）と、該上流側ステージ（５５）の下流側にあって、遊技媒体の流れの残りを受けて前記遊技機用樋（３０）または前記タンク用樋（４０）の他方へ導くように形成された下流側ステージ（５６）とを備えた
ことを特徴とする［１］または［２］に記載の遊技機島（１０）の遊技媒体搬送装置。
【００１３】
［５］前記遊技機用樋（３０）と前記タンク用樋（４０）とは、上段と下段との位置関係になるようにそれぞれ配されていて、前記上部タンク（２０）側から前記遊技機島（１０）の端の上部にそれぞれ延設されている
ことを特徴とする［１］〜［４］の何れかに記載の遊技機島（１０）の遊技媒体搬送装置。
【００１４】
［６］前記遊技機用樋（３０）と前記タンク用樋（４０）とは、上段と下段との位置関係になるようにそれぞれ配されていて、前記上部タンク（２０）側から前記遊技機島（１０）の端の上部にそれぞれ延設され、
前記分岐部材（５０）は、筒形状に形成され、前記上部タンク（２０）から排出された遊技媒体が所定の幅をもって略下方へ流れるように配された筒状本体（５１）と、該筒状本体（５１）の周壁（５２）から該筒状本体（５１）内へ突出することで、遊技媒体の流れの一部を受けて前記遊技機用樋（３０）へ導くように形成された上流側ステージ（５５）と、筒状本体（５１）の底部を成し、遊技媒体の流れの残りを受けて前記タンク用樋（４０）へ導くように形成された下流側ステージ（５６）とを備え、
さらに、前記分岐部材（５０）は、樹脂材により前記筒状本体（５１）と前記上流側ステージ（５５）と前記下流側ステージ（５６）とを一体的に形成したものである
ことを特徴とする［１］〜［４］の何れかに記載の遊技機島（１０）の遊技媒体搬送装置。
【００１５】
［７］前記上流側ステージ（５５）は、前記筒状本体（５１）の互いに対向する周壁（５２）の間に架設され、
前記上流側ステージ（５５）の両脇には、前記上部タンク（２０）から排出された遊技媒体が前記下流側ステージ（５６）へ流れるように連通口（５８）が開設されている
ことを特徴とする［３］〜［６］の何れかに記載の遊技機島（１０）の遊技媒体搬送装置。
【００１６】
［８］前記連通口（５８）は、該連通口（５８）を通過する遊技媒体の量が前記上流側ステージ（５５）で受ける遊技媒体の量とほぼ同じになるように形成されている
ことを特徴とする［７］に記載の遊技機島（１０）の遊技媒体搬送装置。
【００１７】
［９］前記筒状本体（５１）の上部には、前記上部タンク（２０）から排出された遊技媒体が複数列で整列して前記筒状本体（５１）の内部に流れ込むことができる流入口（５３）が開設されている
ことを特徴とする［４］〜［８］の何れかに記載の遊技機島（１０）の遊技媒体搬送装置。
【００１８】
［１０］複数台の遊技機（１１）を列設して形成された遊技機島（１０）の遊技媒体搬送装置の分岐部材（５０）において、
遊技媒体が所定の幅をもって略下方へ流れるように配された筒状本体（５１）と、該筒状本体（５１）の周壁（５２）の上部から下部までの複数個所に開設された複数の開口（５４、５４ａ…）と、同じく前記筒状本体（５１）の周壁（５２）の上部から下部までの複数個所から前記筒状本体（５１）の内部へそれぞれ突出することで、遊技媒体の流れの一部をそれぞれ受けて前記複数の開口（５４、５４ａ…）の各々へ導くように形成された複数のステージ（５５、５６…）とを備えた
ことを特徴とする遊技機島（１０）の遊技媒体搬送装置の分岐部材（５０）。
【００１９】
［１１］複数台の遊技機（１１）を列設して形成された遊技機島（１０）の遊技媒体搬送装置の分岐部材（５０）において、
遊技媒体が所定の幅をもって略下方へ流れるように配された筒状本体（５１）と、該筒状本体（５１）の周壁（５２）の上部に開設された上部開口（５４）と、前記筒状本体（５１）の周壁（５２）の下部に開設された下部開口（５４ａ）と、前記筒状本体（５１）の周壁（５２）から該筒状本体（５１）の内部へ突出することで、遊技媒体の流れの一部を受けて前記上部開口（５４）の方へ導くように形成された上流側ステージ（５５）と、筒状本体（５１）の底部を成し、遊技媒体の流れの残りを受けて前記下部開口（５４ａ）の方へ導くように形成された下流側ステージ（５６）とを備えた
ことを特徴とする遊技機島（１０）の遊技媒体搬送装置の分岐部材（５０）。
【００２０】
次に、上部タンク（２０）内の遊技媒体が遊技機用樋（３０）およびタンク用樋（４０）にどのように流れていくかについて説明する。上部タンク（２０）から排出された遊技媒体の流れは分岐部材（５０）によって分岐され、遊技媒体は、遊技機用樋（３０）およびタンク用樋（４０）へそれぞれ流れるようになる。
【００２１】
遊技機用樋（３０）に流れた遊技媒体は、各遊技機（１１）の略上方の補給口から各遊技機（１１）にそれぞれ補給され、各遊技機（１１）で用いられるようになる。このとき、遊技機用樋（３０）内に遊技媒体がほとんど無い状態であれば、遊技媒体は遊技機用樋（３０）の両端を流れず、遊技機用樋（３０）の両端にある補給口を通過して、遊技機用樋（３０）の終端に達してしまうが、遊技機用樋（３０）は、タンク用樋（４０）とはその機能が異なり、遊技媒体が遊技機用樋（３０）の終端から下部タンク（７０）へ流れないようになっているので、遊技媒体が遊技機用樋（３０）の終端の方から遊技機用樋（３０）の始端の方へ満たされていき、やがて、遊技媒体が遊技機用樋（３０）の両端を流れるようになって、遊技媒体が補給口から各遊技機（１１）に補給されるようになる。
【００２２】
一方、タンク用樋（４０）に流れた遊技媒体は、遊技機島（１０）の端の上部に達し、その遊技機島（１０）の端の上部から下部タンク（７０）に流れるようになる。このとき、遊技媒体が各遊技機（１１）へ補給されない状態が継続し、遊技機用樋（３０）が遊技媒体で一杯な状態になっても、遊技機用樋（３０）の状態の影響を受けることなく、上部タンク（２０）内の遊技媒体はタンク用樋（４０）を流れて、遊技機島（１０）の端の上部から下部タンク（７０）に流れるようになる。したがって、下部タンク（７０）内の遊技媒体が適量になる。
【００２３】
また、上部タンク（２０）内の遊技媒体を各遊技機（１１）に補給し、各遊技機（１１）で用いられた遊技媒体を下部タンク（７０）に戻すための第１循環機構と、上部タンク（２０）内の遊技媒体を各遊技機（１１）に補給することなく下部タンク（７０）に戻すための第２循環機構と、上部タンク（２０）内の遊技媒体を分けることで第１循環機構および第２循環機構にそれぞれ流すための分岐部材（５０）とを備えたものでは、上部タンク（２０）から排出された遊技媒体は、分岐部材（５０）によって分岐され、第１循環機構および第２循環機構にそれぞれ流れるようになる。
【００２４】
第１循環機構の方に流れた遊技媒体は、遊技機用樋（３０）を通って各遊技機（１１）の上方を流れ、各遊技機（１１）の略上方から各遊技機（１１）にそれぞれ流下し、各遊技機（１１）で用いられる。遊技媒体は各遊技機（１１）で用いられた後に、上部タンク（２０）に揚送される。
【００２５】
第２循環機構の方に流れた遊技媒体は、タンク用樋（４０）を通って、各遊技機（１１）に流下せず、各遊技機（１１）で用いられることなく、遊技機島（１０）の端の上部に達してから、下部タンク（７０）に戻され、下部タンク（７０）から上部タンク（２０）に揚送される。
【００２６】
それにより、遊技機用樋（３０）によって、上部タンク（２０）内の遊技媒体を各遊技機（１１）に確実に補給することができるとともに、タンク用樋（４０）によって、上部タンク（２０）内の遊技媒体を各遊技機（１１）に補給することなく下部タンク（７０）に確実に戻すことができ、下部タンク（７０）内の遊技媒体を適量な状態に維持することができる。さらに、遊技媒体を上部タンク（２０）に確実に揚送することができ、上部タンク（２０）内の遊技媒体を適量な状態に維持することもできる。
【００２７】
さらに、分岐部材（５０）が上流側ステージ（５５）と下流側ステージ（５６）とを備えたものでは、上部タンク（２０）から排出された遊技媒体の流れの一部は、上流側ステージ（５５）によって遊技機用樋（３０）またはタンク用樋（４０）の一方に導かれる。遊技媒体の流れの残りは、さらに下流側ステージ（５６）に達して、下流側ステージ（５６）によって遊技機用樋（３０）またはタンク用樋（４０）の他方に導かれるようになる。すなわち、いずれかのステージによって、遊技媒体がタンク用樋（４０）に導かれ、タンク用樋（４０）に流れ遊技機島（１０）の端の上部から下部タンク（７０）に戻るようになる。上流側ステージ（５５）および下流側ステージ（５６）を備えた簡単な構成の分岐部材（５０）によって、上部タンク（２０）内の遊技媒体を各遊技機（１１）に補給するとともに、下部タンク（７０）に戻すことができる。
【００２８】
さらに、分岐部材（５０）は、上部タンク（２０）から所定の幅をもって略下方へ流れる遊技媒体の流れの中にあって、遊技媒体の流れの一部を受けて遊技機用樋（３０）またはタンク用樋（４０）の一方へ導くように形成された上流側ステージ（５５）と、上流側ステージ（５５）の下流側に配され、遊技媒体の流れの残りを受けて遊技機用樋（３０）またはタンク用樋（４０）の他方へ導くように形成された下流側ステージ（５６）とを備えているものでは、上部タンク（２０）から排出された遊技媒体を分岐部材（５０）によって略下方へ流すだけで、遊技媒体が上流側ステージ（５５）あるいは下流側ステージ（５６）に受けられることで、遊技機用樋（３０）およびタンク用樋（４０）にそれぞれ流れるようになる。分岐部材（５０）としては、遊技媒体が略下方へ流れるだけの隙間を確保すればよいので、分岐部材（５０）が上部タンク（２０）と遊技機用樋（３０）等との間の隙間にあって嵩張らず、分岐部材（５０）を小型にすることができる。
【００２９】
さらに、遊技機用樋（３０）とタンク用樋（４０）とが、上段と下段との位置関係になるようそれぞれ配され、遊技機島（１０）の端の上部にそれぞれ延設されているものでは、上段にある遊技機用樋（３０）と各遊技機（１１）との間の間隔を広めに確保することができるので、遊技機用樋（３０）から下方あるいは斜め下方に延ばしたホース部材を急激に曲げないで遊技機（１１）側に接続させることができる。それによって、遊技機用樋（３０）からホース部材に通した遊技媒体を途中で詰まらせないで済み、遊技媒体を確実に遊技機（１１）に補給することができる。また、ホース部材の復元力に抗してホース部材を急激に曲げ、その曲がった状態にホース部材を維持しながら遊技機（１１）側に接続しないで済むので、ホース部材の取り回しを容易にすることができる。
【００３０】
さらに、筒形状に形成され、上部タンク（２０）から排出された遊技媒体が所定の幅をもって略下方へ流れるように配された筒状本体（５１）と、筒状本体（５１）の周壁（５２）から筒状本体（５１）内へ突出することで、遊技媒体の流れの一部を受けて遊技機用樋（３０）へ導くように形成された上流側ステージ（５５）と、筒状本体（５１）の底部を成し、遊技媒体の流れの残りを受けて前記タンク用樋（４０）へ導くように形成された下流側ステージ（５６）とを備え、分岐部材（５０）が樹脂材により筒状本体（５１）と上流側ステージ（５５）と下流側ステージ（５６）とを一体的に形成したものでは、分岐部材（５０）が１つの部品から成り、部品点数を大幅に減らすことができる。また、上流側ステージ（５５）が筒状本体（５１）の周壁（５２）から突出したものであり、下流側ステージ（５６）が筒状本体（５１）の底部である簡単な形状に分岐部材（５０）をすることができる。
【００３１】
さらに、上流側ステージ（５５）が筒状本体（５１）の互いに対向する周壁（５２）の間に架設され、上流側ステージ（５５）の両脇には、上部タンク（２０）から排出された遊技媒体が下流側ステージ（５６）へ流れるように連通口（５８）が開設されているものでは、上流側ステージ（５５）が筒状本体（５１）の両方の周壁（５２）で支えられているため、上流側ステージ（５５）で多量の遊技媒体を受けたときでも、その荷重に耐えることができる。また、上流側ステージ（５５）を対向する周壁（５２）の間に架設した簡単な形状によって、同時に、上流側ステージ（５５）の両脇に連通口（５８）を開設することができ、上流側ステージ（５５）および連通口（５８）の成形が容易になる。
【００３２】
さらに、筒状本体（５１）の上部には、上部タンク（２０）から排出された遊技媒体が複数列で整列して筒状本体（５１）の内部に流れ込むことができる流入口（５３）が開設されているものでは、複数列の中の一部の列を上流側ステージ（５５）で受けるようにし、複数列の残りの列を下流側ステージ（５６）で受けるようにすれば、上部タンク（２０）から各々適量の遊技媒体を遊技機用樋（３０）およびタンク用樋（４０）へそれぞれ流すことができ、それによって、上部タンク（２０）内の遊技媒体を各遊技機（１１）に確実に補給することができるとともに、各遊技機（１１）に補給することなく下部タンク（７０）に確実に戻すことができる。
【００３３】
【発明の実施の形態】
以下、本発明の実施の形態について図面を参照して説明する。図１〜図１２は、本発明による遊技機島の遊技媒体搬送装置を示している。図１は本発明の一実施の形態に係る遊技機島の内部構成を示す正面図、図２は同じく遊技機島間で遊技媒体を受け渡しするための渡り樋が架設されているものを示す側面図、図３は同じく遊技機島の下部に配されたメインタンクを示す正面図、図４は遊技機島の下部構造を示す横断面図、図５は同じく遊技機島の上部タンクおよび分岐部材を示す正面図、図６は同じく遊技機島の上部タンクの平面図である。
【００３４】
図１〜図６に示すように、遊技機島１０は、複数台の遊技機１１を列設して形成されている。隣接する遊技機１１の間の隙間には台間玉貸機１２が配されている。遊技機島１０の中央の上部には上部タンク２０が配されている。遊技機島１０の下部には下部タンク７０が配されている。遊技機島１０の中央部には、下部タンク７０内のパチンコ球Ｐ１である遊技媒体を磨きながら上部タンク２０に揚送するための揚送装置６０が立設されている。上部タンク２０には、揚送装置６０の上端部から排出された遊技媒体を誘導するための誘導板２１が配されている。また、上部タンク２０の底部には、遊技媒体を排出するための排出口２２が開設されている。
【００３５】
各遊技機島１０の上部タンク２０間には渡り樋１５が架設され、上部タンク２０内で余剰になった遊技媒体を他の遊技機島１０の上部タンク２０に渡すようになっている。
【００３６】
下部タンク７０は、揚送装置６０に寄って配されているメインタンク７１と遊技機島１０の端に寄って配されているサブタンク７５とから成る。サブタンク７５内の遊技媒体をメインタンク７１に搬送するための循環リフト７４が設けられ、また、メインタンク７１内の遊技媒体を揚送装置６０に供給するための供給樋７２が設けられている。供給樋７２は、メインタンク７１の床面７１ａを転動して玉排出部７１ｂから排出される遊技媒体を揚送装置６０に引き渡すようになっている。
【００３７】
メインタンク７１は、その床面７１ａが玉排出部７１ｂに向かってなだらかに下方に傾斜しており、メインタンク７１内の遊技媒体が傾斜に従って玉排出部２２に向かって転がるように構成されている。メインタンク７１には、例えば遊技機島１０の端部に配設された計数機（図示省略）、タンク用樋４０や各遊技機１１から遊技媒体が送られる。これに対して、サブタンク７５は、その床面７５ａがメインタンク７１と同様に所定の傾斜角度で下流側に向かって下方に傾斜している。
【００３８】
遊技機島１０は、上部タンク２０内の遊技媒体を各遊技機１１に補給し、各遊技機１１で用いられた遊技媒体（アウト玉）がアウト玉レール８０を流れ、図３および図４に示すように、下部タンク７０に沿うように配されたアウト玉通路７１ｃを通り、揚送装置６０によって上部タンク２０に戻るようにするための第１循環機構と、上部タンク２０内の遊技媒体を各遊技機１１に補給することなく下部タンク７０に戻し、同じく下部タンク７０から揚送装置６０によって上部タンク２０に戻すための第２循環機構とを備えている。
【００３９】
第１循環機構は、各遊技機１１の上方にあって、上部タンク２０側から遊技機島１０の端の上部に延設され、上部タンク２０から排出された遊技媒体が各遊技機１１にそれぞれ流れるように配された遊技機用樋３０を備えている。遊技機用樋３０は、上部タンク２０から各遊技機１１や台間玉貸機１２の上部を遊技機島１０の端に向かってなだらかに下方に傾斜しており、上部タンク２０から各遊技機１１や台間玉貸機１２に対して、遊技媒体を供給するようになっている。
【００４０】
第２循環機構は、上部タンク２０から排出された遊技媒体が遊技機島１０の端の上部に流れるようにすることで、遊技媒体を遊技機島１０の端の上部から下部タンク７０に流すことができるように配されたタンク用樋４０を備えている。タンク用樋４０は、遊技機用樋３０と同じく、上部タンク２０から各遊技機１１や台間玉貸機１２の上部を遊技機島１０の端に向かってなだらかに下方に傾斜している。遊技機用樋３０とタンク用樋４０とは、上段と下段との位置関係になるようにそれぞれ配されている。
【００４１】
また、遊技機島１０は、上部タンク２０内の遊技媒体を分けることで第１循環機構および第２循環機構にそれぞれ流すための分岐部材５０を備えている。分岐部材５０は、上部タンク２０から排出された遊技媒体の流れを分岐することで、遊技媒体が遊技機用樋３０およびタンク用樋４０へそれぞれ流れるように配されている。
【００４２】
図７〜図１２に示すように、分岐部材５０は、筒形状に形成され、上部タンク２０から排出された遊技媒体が所定の幅をもって略下方へ流れるように配された筒状本体５１と、筒状本体５１の周壁５２から筒状本体５１内へ突出することで、遊技媒体の流れの一部を受けて遊技機用樋３０へ導くように形成された上流側ステージ５５と、筒状本体５１の底部を成し、遊技媒体の流れの残りを受けてタンク用樋４０へ導くように形成された下流側ステージ５６とを備えている。分岐部材５０は、樹脂材により筒状本体５１と上流側ステージ５５と下流側ステージ５６とを一体的に形成したものである。
【００４３】
上流側ステージ５５は、平板状に形成され、筒状本体５１の互いに対向する周壁５２の間に架設されている。上流側ステージ５５の両脇には、上部タンク２０から排出された遊技媒体が下流側ステージ５６へ流れるように連通口５８が開設されている。
【００４４】
連通口５８は、連通口５８を通過する遊技媒体の量が上流側ステージ５５で受ける遊技媒体の量とほぼ同じになるように形成されている。筒状本体５１の周壁５２の上部には、上部タンク２０から排出された遊技媒体が複数列に整列して筒状本体５１の内部に流れ込むことができる流入口５３が開設されている。流入口５３は、複数列の遊技媒体が通過し得る程度の口幅に形成されている。
【００４５】
例えば、連通口５８を遊技媒体が１２列に整列して筒状本体５１の内部に流れ込む場合、上流側ステージ５５は、遊技媒体の１２列の中の中央６列の流れを受け止めるように形成され、また、上流側ステージ５５の両脇の連通口５８は、遊技媒体の１２列の中の両側３列の流れがそれぞれ通り抜けるように形成され、さらに、下流側ステージ５６は、遊技媒体の１２列の中の両側３列の流れを受け入れるように形成されている。
【００４６】
分岐部材５０の周壁５２であって、流入口５３が開設されている周壁５２とは反対側の周壁５２の上部および下部には、遊技機用樋３０およびタンク用樋４０を連結するための上部開口５４および下部開口５４ａがそれぞれ開設されている。上部開口５４には、連結ブラケット３１を介して遊技機用樋３０の始端部が嵌め込まれた状態で連結されている。また、下部開口５４ａには、連結ブラケット３１ａを介してタンク用樋４０の始端部が嵌め込まれた状態で連結されている。
【００４７】
次に、上部タンク２０内の遊技媒体が遊技機用樋３０およびタンク用樋４０にどのように流れていくかについて説明する。上部タンク２０から排出された遊技媒体の流れは分岐部材５０によって分岐され、遊技媒体は、第１循環機構および第２循環機構にそれぞれ流れるようになる。
【００４８】
第１循環機構の方に流れた遊技媒体は、遊技機用樋３０を通って各遊技機１１の略上方の補給口（図示省略）から各遊技機１１および台間玉貸機１２に対してそれぞれ補給され、各遊技機１１で用いられた後に、下部タンク７０（メインタンク７１あるいはサブタンク７５）に戻され、メインタンク７１およびサブタンク７５の傾斜した床面７１ａ、７５ａに沿って、下流側に向かって転動し、供給樋７２を介して揚送装置６０により、上部タンク２０に揚送される。
【００４９】
遊技機用樋３０内に遊技媒体がほとんど無い状態であれば、遊技媒体は遊技機用樋３０の両端を流れず、遊技機用樋３０の両端にある補給口を通過して、遊技機用樋３０の終端に達してしまうが、遊技媒体が遊技機用樋３０の終端の方から遊技機用樋３０の始端の方へ満たされていき、やがて、遊技媒体が遊技機用樋３０の両端を流れるようになって、遊技媒体が補給口から各遊技機１１に補給されるようになる。すなわち、遊技機用樋３０によって、上部タンク２０内の遊技媒体を各遊技機１１に確実に補給することができる。
【００５０】
一方、第２循環機構の方に流れた遊技媒体は、タンク用樋４０を通って、各遊技機１１に流下せず、各遊技機１１や台間玉貸機１２で用いられることなく、遊技機島１０の端の上部に達してから、下部タンク７０（サブタンク７５）に戻され、サブタンク７５の床面７５ａに沿って、下流側に向かって転動し、サブタンク７５から循環リフト７４で図３および図４に示すアウト玉通路７１ｃに搬送され、アウト玉通路７１ｃに沿って、下流側に向かって転動し、供給樋７２を介して揚送装置６０により、上部タンク２０に揚送される。
【００５１】
このとき、遊技媒体が各遊技機１１へ補給されない状態が継続し、遊技機用樋３０が遊技媒体で一杯な状態になっても、遊技機用樋３０の状態の影響を受けることなく、上部タンク２０内の遊技媒体はタンク用樋４０を流れて、遊技機島１０の端の上部から下部タンク７０に流れるようになる。したがって、下部タンク７０内の遊技媒体が適量になる。すなわち、タンク用樋４０によって、上部タンク２０内の遊技媒体を各遊技機１１に補給することなく下部タンク７０に確実に戻すことができ、下部タンク７０内の遊技媒体を適量な状態に維持することができる。さらに、遊技媒体を下部タンク７０から上部タンク２０に確実に揚送することができ、上部タンク２０内の遊技媒体を適量な状態に維持することもできる。
【００５２】
次に、上部タンク２０から排出された遊技媒体の流れが分岐部材でどのようにして分岐されるのかを説明する。
【００５３】
上部タンク２０から排出された遊技媒体は、分岐部材５０の流入口５３を通って分岐部材５０内に流れ込む。このとき、遊技媒体は、流入口５３の口幅一杯に広がって、複数列で整列した状態で流れ込み、そのままの状態で分岐部材５０内を略下方へ流れる。
【００５４】
複数列で整列した状態で流れる遊技媒体の流れの一部（中央部）は、上流側ステージ５５に受け止められる。上流側ステージ５５で受け止められた遊技媒体は、遊技機用樋３０の方向へ流れるようになる。上流側ステージ５５で遊技媒体を受け止めるとき、上流側ステージ５５が筒状本体５１の互いに対向する周壁５２の間に架設された両持ち構造をしているから、遊技媒体を受け止めたときの荷重に対して十分に耐えることができる。
【００５５】
複数列で整列した状態で流れる遊技媒体の流れの残り（両端の部分）は、連通口５８を通って下流側ステージ５６に受け入れられる。受け入れられた遊技媒体は、タンク用樋４０の方向へ流れるようになる。
【００５６】
以上のように、上部タンク２０から排出された遊技媒体の流れの一部は、上流側ステージ５５によって遊技機用樋３０に導かれる。遊技媒体の流れの残りは、さらに下流側ステージ５６に達して、下流側ステージ５６によってタンク用樋４０に導かれるようになる。それによって、上部タンク２０から各々適量の遊技媒体を遊技機用樋３０およびタンク用樋４０へそれぞれ流すことができ、上部タンク２０内の遊技媒体を各遊技機１１に確実に補給することができるとともに、各遊技機１１に補給することなく下部タンク７０に確実に戻すことができる。
【００５７】
遊技機用樋３０およびタンク用樋４０にそれぞれ導かれた遊技媒体が、第１循環機構、第２循環機構によって、再び、上部タンク２０に戻ることは前述したとおりである。
【００５８】
前記実施の形態に係る遊技機島の遊技媒体搬送装置では、遊技機用樋３０とタンク用樋４０とを上段、下段の関係になるように配したので、遊技機用樋３０と各遊技機１１との間の間隔を広めに確保することができ、遊技機用樋３０から下方あるいは斜め下方に延ばしたホース部材（図示省略）を急激に曲げないで遊技機１１側に接続させることができる。それによって、遊技機用樋３０からホース部材に通した遊技媒体を途中で詰まらせないで済み、遊技媒体を確実に遊技機１１に補給することができる。また、ホース部材の復元力に抗してホース部材を急激に曲げ、その曲がった状態にホース部材を維持しながら遊技機１１側に接続しないで済むので、ホース部材の取り回しを容易にすることができる。
【００５９】
また、分岐部材５０は、その上流側ステージ５５が筒状本体５１の周壁５２から突出したものであり、下流側ステージ５６が筒状本体５１の底部である簡単な形状であり、成形し易いものである。さらに、分岐部材５０は、樹脂材により筒状本体５１と上流側ステージ５５と下流側ステージ５６とを一体的に形成したものであるから、分岐部材５０が１つの部品から成り、部品点数を大幅に減らすことができ、製造コストや組立コストを低減することができる。
さらに、上流側ステージ５５を筒状本体５１の互いに対向する周壁５２の間に架設することで、上流側ステージ５５の両脇に連通口５８が開設されるので、わざわざ連通口５８を上流側ステージ５５に穿設しないで済み、連通口５８の成形が容易になる。この点からも製造コストを低減することができる。
【００６０】
なお、前記実施の形態においては、上流側ステージ５５および下流側ステージ５６が平板状にそれぞれ形成されているものを示したが、上流側ステージ５５および下流側ステージ５６は、これに限らず、遊技媒体の流れを受ける受入口を備え、受入口に入った遊技媒体を遊技機用樋３０およびタンク用樋４０にそれぞれ導くものであればよい。
【００６１】
また、前記実施の形態では、上部タンク２０と遊技機用樋３０等との間に分岐部材５０を配し、遊技媒体の流れを分岐して遊技機用樋３０およびタンク用樋４０にそれぞれ導くようにしたものを示したが、分岐部材５０が配される場所は、これに限らず、遊技機島１０のいずれの場所であってもよい。すなわち、筒状本体５１の周壁５２に上部開口および下部開口を開設し、上流側ステージ５５および下流側ステージ５６でそれぞれ受けた遊技媒体を上部開口および下部開口へ導くようにしてもよい。
【００６２】
さらに、前記実施の形態では、上流側ステージ５５と下流側ステージ５６との２つのステージを設けたものを示したが、３以上のステージを設けてもよい。すなわち、筒状本体５１の周壁５２の上部から下部までの複数個所に複数の開口を開設し、筒状本体５１の周壁５２の上部から下部までの複数個所から筒状本体５１の内部へ複数のステージをそれぞれ突出することで、各ステージが遊技媒体の流れの一部をそれぞれ受けて複数の開口の各々へ導くようにし、それにより、遊技媒体の流れが各ステージで複数に分岐され、複数の開口を通ってそれぞれ所定の複数個所に導かれるようになる。
【００６３】
【発明の効果】
本発明に係る遊技機島の遊技媒体搬送装置によれば、分岐部材によって上部タンクから排出された遊技媒体の流れを分岐することで、遊技媒体を遊技機用樋およびタンク用樋へそれぞれ流すようにしたので、２つの通路を別個に設ける必要がなく、装置が小型になり、また、部品点数が少なく、製造コストや組立コストを低減することができ、さらに、上部タンク内の遊技媒体を下部タンクに確実に戻すようにし、下部タンク内の遊技媒体を適量な状態に維持することができる。
【００６４】
また、分岐部材によって、上部タンクから排出された遊技媒体の流れを分岐させることで、遊技媒体を第１循環機構および第２循環機構にそれぞれ流すようにしたので、第１循環機構によって、遊技機用樋を通って各遊技機に補給された遊技媒体は、各遊技機で用いられた後に、上部タンクに揚送される一方、第２循環機構によって、タンク用樋を通って、下部タンクに戻された遊技媒体は、下部タンクから上部タンクに揚送され、それにより、上部タンク内の遊技媒体を各遊技機に確実に補給することができるとともに、上部タンク内の遊技媒体を各遊技機に補給することなく下部タンクに確実に戻すことができ、下部タンク内の遊技媒体を適量な状態に維持することができ、さらに、遊技媒体を上部タンクに確実に揚送するので、上部タンク内の遊技媒体を適量な状態に維持することもできる。
【００６５】
さらに、上流側ステージおよび下流側ステージを備えた簡単な構成の分岐部材によって、上部タンク内の遊技媒体を各遊技機に補給するとともに、下部タンクに戻すことができるので、分岐部材の製造コストを低減することができる。
【００６６】
さらに、上部タンクから所定の幅をもって略下方へ流れる遊技媒体の流れの一部を上流側ステージが受けるようにし、遊技媒体の流れの残りを下流側ステージが受けるようにしたので、分岐部材として、遊技媒体が落下するだけの隙間を確保すればよいので、分岐部材が上部タンクと遊技機用樋等との間の隙間にあって嵩張らず、分岐部材を小型にすることができる。
【００６７】
さらに、遊技機用樋とタンク用樋とが上段と下段との位置関係になるよう配されているので、遊技機用樋と各遊技機との間の間隔を広めに確保することができ、遊技機用樋から下方あるいは斜め下方に延ばしたホース部材を急激に曲げないで遊技機側に接続させることができ、ホース部材の途中で遊技媒体を詰まらせないで済み、また、ホース部材の復元力に抗してホース部材を急激に曲げた状態に維持しながら遊技機側に接続しないで済むので、ホース部材の取り回しを容易にすることができる。
【００６８】
さらに、分岐部材が樹脂材により筒状本体と上流側ステージと下流側ステージとを一体的に形成したので、分岐部材が１つの部品から成り、部品点数を大幅に減らすことができ、製造コストや組立コストを低減することができる。また、上流側ステージが筒状本体の周壁から突出したものであり、下流側ステージが筒状本体の底部である簡単な形状にしたので、さらに、成形し易くなって、さらに、製造コストを低減することができる。
【００６９】
さらに、上流側ステージが筒状本体の両方の周壁で支えられているので、上流側ステージで多量の遊技媒体を受けたときでも、その荷重に耐えることができる。また、上流側ステージを対向する周壁の間に架設した簡単な形状によって、同時に、上流側ステージの両脇に連通口を開設することができるので、上流側ステージおよび連通口の成形が容易になり、製造コストを低減することができる。
【００７０】
さらに、筒状本体の上部に開設された流入口が、上部タンクから排出された遊技媒体が複数列で整列して筒状本体の内部に流れ込むことができるように開設されているので、上流側ステージで複数列の中の一部の列を受け、下流側ステージで複数列の残りの列を受けることで、上部タンク内の遊技媒体を各遊技機に確実に補給することができるとともに、各遊技機に補給することなく下部タンクに確実に戻すことができる。
【００７１】
さらに、筒状本体の周壁の上部から下部までの複数個所に複数の開口を開設し、筒状本体の周壁の上部から下部までの複数個所から筒状本体の内部へ複数のステージをそれぞれ突出することで、各ステージが遊技媒体の流れの一部をそれぞれ受けて複数の開口の各々へ導くようにしたので、例えば、３以上のステージを設け、遊技媒体の流れが各ステージで複数に分岐され、各開口を通って３以上の所定個所にそれぞれ導かれるようにすることができる。
【図面の簡単な説明】
【図１】本発明の一実施の形態に係る遊技機島の内部構成を示す正面図である。
【図２】本発明の一実施の形態に係る遊技機島間で遊技媒体を受け渡しするための渡り樋が架設されているものを示す側面図である。
【図３】本発明の一実施の形態に係る遊技機島の下部に配されたメインタンクを示す正面図である。
【図４】本発明の一実施の形態に係る遊技機島の下部構造を示す横断面図である。
【図５】本発明の一実施の形態に係る上部タンクおよび分岐部材を示す正面図である。
【図６】本発明の一実施の形態に係る上部タンクの平面図である。
【図７】本発明の一実施の形態に係る分岐部材の斜視図である。
【図８】本発明の一実施の形態に係る分岐部材および連結部材を示す側面図である。
【図９】本発明の一実施の形態に係る分岐部材および連結部材を示す正面図である。
【図１０】本発明の一実施の形態に係る分岐部材の側面図である。
【図１１】本発明の一実施の形態に係る分岐部材の縦断面図である。
【図１２】本発明の一実施の形態に係る分岐部材の横断面図である。
【符号の説明】
１０…遊技機島
１１…遊技機
１２…台間玉貸機
１５…渡り樋
２０…上部タンク
２１…誘導板
２２…排出口
３０…遊技機用樋
３１…連結ブラケット
３１ａ…連結ブラケット
４０…タンク用樋
５０…分岐部材
５１…筒状本体
５２…周壁
５３…流入口
５４…上部開口
５４ａ…下部開口
５５…上流側ステージ
５６…下流側ステージ
５８…連通口
６０…揚送装置
７０…下部タンク
７１…メインタンク
７１ａ…床面
７１ｂ…玉排出部
７１ｃ…アウト玉通路
７２…供給樋
７４…循環リフト
７５…サブタンク
７５ａ…床面
８０…アウト玉レール
【図１】
2004305317.tif 000003
【図２】
2004305317.tif 000004
【図３】
2004305317.tif 000005
【図４】
2004305317.tif 000006
【図５】
2004305317.tif 000007
【図６】
2004305317.tif 000008
【図７】
2004305317.tif 000009
【図８】
2004305317.tif 000010
【図９】
2004305317.tif 000011
【図１０】
2004305317.tif 000012
【図１１】
2004305317.tif 000013
【図１２】
2004305317.tif 000014